(57)【要約】【課題】ユーザは一つの携帯情報機器でセキュリティ条件を満たして、あらかじめ許可された操作権限を視認しながら、操作をすることができる入退室の管理システムの提供。【解決手段】ドアの施解錠および空調制御を行う制御装置と、個人ＩＤを近距離無線通信で読み取り前記制御装置に通信して認証情報を得る管理端末と、前記管理端末と前記近距離無線通信により得られる前記認証情報にある操作許可情報に従った制御操作を前記管理端末を介して前記制御装置に指令する携帯情報機器と、を備えた入退室管理システムにおいて、前記制御装置は個人ＩＤに従った前記操作許可情報テーブルをもつことと、前記携帯情報機器は個人ＩＤ、近距離無線通信部、および前記操作許可情報に従った制御操作実行部を持つことと、を特徴とする入退室管理システム。【選択図】  図１
2015125693.tif 000002
【特許請求の範囲】
【請求項１】
ドアの施解錠および負荷設備制御を行う制御装置と、
個人ＩＤを近距離無線通信で読み取り前記制御装置に通信して認証情報を得る管理端末と、
前記管理端末と前記近距離無線通信により得られる前記認証情報に含まれる操作許可情報に従った制御操作を、前記管理端末を介して前記制御装置に指令する携帯情報機器と、を備えた入退室管理システムにおいて、
前記制御装置は個人ＩＤに従った前記操作許可情報テーブルをもつことと、
前記携帯情報機器は個人ＩＤ、近距離無線通信部、および前記操作許可情報に従った制御操作実行部を持つことと、
を特徴とする入退室管理システム。
【請求項２】
請求項１に記載された入退室管理システムにおいて、
前記管理端末はＩＣカードリーダーまたは温度設定表示パネルであることを特徴とする入退室管理システム。
【請求項３】
ドアの施解錠および負荷設備制御を行う制御装置と、
個人ＩＤを近距離無線通信で読み取り前記制御装置に通信して認証情報を得る管理端末と、
前記管理端末から前記近距離無線通信により得た前記認証情報に則り、前記制御装置と短距離無線通信で通信して得られる操作許可情報に従った制御操作を、前記短距離無線通信により行い前記制御装置に指令する携帯情報機器と、を備えた入退室管理システムにおいて、前記制御装置は個人ＩＤに従った前記操作許可情報テーブルをもつことと、
前記携帯情報機器は個人ＩＤ、近距離無線通信部、短距離無線通信部および前記操作許可情報に従った制御操作実行部を持つことと、
を特徴とする入退室管理システム。
【請求項４】
請求項３に記載された入退室管理システムにおいて、
前記管理端末はＩＣカードリーダーまたは温度設定表示パネルであることと、
前記短距離無線通信は前記携帯情報機器と前記制御装置に接続されたアクセスポイントとの間で行われる通信であることと、を特徴とする入退室管理システム。
【発明の詳細な説明】
【技術分野】
【０００１】
本願発明は、テナントビルその他の建物の管理にかかり、テナントごとに居室ドアの施解錠その他入退室管理のセキュリティ管理と、負荷設備（空調設備、照明設備）の制御管理を行うことのできる入退室管理システムに関する。
【背景技術】
【０００２】
空調などの管理システムとして、個人が使用するエリア内を快適な環境にするため、そのエリアを使用する作業者の個人情報を入力する情報入力手段と、その快適度を検出する快適度検出手段と、その作業者が外出から帰った状態かどうかを検知する検知手段と、検知手段がその作業者の外出帰りを認識した場合には、個人情報に含まれるその作業者の環境対応度と快適度検出手段が検出したその作業者の快適度とに応じた空調吹出し条件を設定するとともに、情報入力手段が入力したその作業者の個人情報に対応した空調吹出し条件を設定する制御手段を備えたものが特許文献１
に開示されている。
【０００３】
上記特許文献１ に開示されている技術は、個人情報を利用して、個々の作業者の好みに合った空調環境を自動的に設定するもので、全体の空調管理を合理的に行うものではない。特に近年、地球温暖化の原因となる二酸化炭素の排出を抑制するため省エネが叫ばれ、自治体や企業においては空調の運転や温度設定について規則を設け運用することが多くなっている。しかし、各自が勝手に空調リモコンを操作してしまうと規則通りの運用ができなくなる。特許文献２の発明は、空調の管理を徹底するため、入退室管理のセキュリティシステムに用いる個人情報を利用して、扉の施錠、解錠を行うとともに所定の管理者にリモコンを操作する権限を与えるようにしたものである。
【０００４】
特許文献２に開示されている発明に係る入退室管理システムは、扉の施解錠及び入退室管理を行う制御装置、個人情報を読み取って上記制御装置に信号を送り上記制御装置を動作させる個人認証装置、及び上記制御装置に内蔵され、上記個人認証装置の読み取り情報に基づいて空調機の運転操作を許可する内容を予め設定した設定テーブルを備え、上記制御装置は、上記個人認証装置が個人情報を読み取ったとき上記設定テーブルの設定内容を上記空調機の制御装置に送るようにしたものである。
【先行技術文献】
【特許文献】
【０００５】
【特許文献１】特開平６−３２３６００号公報
【特許文献２】特開２００５−１４０４２２号公報
【発明の概要】
【発明が解決しようとする課題】
【０００６】
先行技術文献に開示される技術では、具体的にはユーザは個人情報が記録された媒体であるＩＤカードを携行する必要がある。また、空調機などの制御用には空調リモコンなどの専用端末が必要であった。このような専用端末は画一的なものであり、所定の操作許可情報によってその操作が権限付けられるものでないために、いったんリモコンなどで操作してみて、はじめてその操作が許可されるものかどうか、結果がわかるものであった。
【０００７】
このように先行技術文献による発明では、ユーザの満足を提供する技術はまだ十分には考慮されていなかった。そこで、本願発明は上述の問題を解決するために、空調制御上の設定情報に基づいた制御操作を実行する際、あらかじめユーザの操作レベルを意識したユーザインタフェースを提供することで、対象空間のユーザが抱く不満感を緩和させることを目的とする。
【課題を解決するための手段】
【０００８】
本願発明は、ドアの施解錠および負荷設備制御を行う制御装置と、
個人ＩＤを近距離無線通信で読み取り前記制御装置に通信して認証情報を得る管理端末と、
前記管理端末と前記近距離無線通信により得られる前記認証情報に含まれる操作許可情報に従った制御操作を、前記管理端末を介して前記制御装置に指令する携帯情報機器と、を備えた入退室管理システムにおいて、
前記制御装置は個人ＩＤに従った前記操作許可情報テーブルをもつことと、
前記携帯情報機器は個人ＩＤ、近距離無線通信部、および前記操作許可情報に従った制御操作実行部を持つことと、を特徴とする入退室管理システムである。
【０００９】
この手段では、近距離通信であるＮＦＣ（Ｎｅａｒ  Ｆｉｅｌｄ  Ｃｏｍｍｕｎｉｃａｔｉｏｎ）ですべての情報をやり取りするので、前記携帯情報機器のほかにＩＤカードを携行する必要はなく、また前記管理端末はＩＣカードリーダーまたは温度設定表示パネルであればよく、構成がシンプルである。ただし、当該通信速度はＭａｘ４００Ｋｂｐｓ程度であるのであまり大量のデータ量の通信には適さない。
【００１０】
また本願発明は、ドアの施解錠および負荷設備制御を行う制御装置と、
個人ＩＤを近距離無線通信で読み取り前記制御装置に通信して認証情報を得る管理端末と、
前記管理端末から前記近距離無線通信により得た前記認証情報に則り、前記制御装置と短距離無線通信で通信して得られる操作許可情報に従った制御操作を、前記短距離無線通信により行い前記制御装置に指令する携帯情報機器と、を備えた入退室管理システムにおいて、前記制御装置は個人ＩＤに従った前記操作許可情報テーブルをもつことと、
前記携帯情報機器は個人ＩＤ、近距離無線通信部、短距離無線通信部および前記操作許可情報に従った制御操作実行部を持つことと、を特徴とする入退室管理システムである。
【００１１】
この手段では、前記管理端末はＩＣカードリーダーまたは温度設定表示パネルであることと、
前記短距離無線通信は前記携帯情報機器と前記制御装置に接続されたアクセスポイントの間で行われる通信であることと、を特徴とするので、ＮＦＣで認証した後に、管理端末の場所を離れても、高速通信である短距離無線通信（ＷｉＦｉ（Ｗｉｒｅｌｅｓｓ  Ｆｉｄｅｌｉｔｙ（登録商標））、その他の無線ＬＡＮ）に通信を切り替えて、大量のデータ通信を行える。
【発明の効果】
【００１２】
本願発明によれば、最近のＩＴの進歩により、タブレット型端末、スマートフォンなどの携帯情報機器を使うことで、すべて必須の機能をオールインワンで実装できる。
【００１３】
その結果、ユーザは一つの携帯情報機器を持つだけで、各通信で認証を行いセキュリティ条件を満たして、さらにあらかじめ取得した権限情報に基づいて、許可された操作を画面で視認しながら操作をすることができるので、満足感を高めることができる。
【図面の簡単な説明】
【００１４】
【図１】本願発明の入退室管理システムの構成概要を示す。
【図２】本願発明の実施の形態にかかる個人ＩＤごとの操作許可情報テーブルを示す。
【図３】本願発明の実施の形態にかかる携帯情報機器の制御操作画面の例を示す。
【図４】本願発明の第一の実施形態にかかる入退室管理システムの遷移フローを示す図である。
【図５】本願発明の第二の実施形態にかかる入退室管理システムの遷移フローを示す図である。
【発明を実施するための形態】
【００１５】
［１．システムの構成］
本願発明について、図面に基づいて説明をする。まず、図１は入退室管理システムの構成概要を示すものである。
対象となるビルはテナントごとに区画区分されている（図中テナント区画1〜３）。それらの構成に差異はあるのが実際ではあるが、本例では説明のため同一視しているので、以降は区画１を中心に述べる。
【００１６】
区画1には、その空間について負荷設備（図外）を制御する制御装置１０−１が備えられる。それはドア１１−１の施解錠および負荷設備制御を行うものである。管理端末１２−１は壁面等に装着されたＩＣカードリーダーまたは温度設定表示パネルである。制御装置１０−１には電気錠１３−１が接続されて施解錠が行われる。制御装置１０−１、管理端末１２−１および電気錠１３−１の間は有線または無線の通信が行われる。
【００１７】
この複数のテナント区画の制御装置１０−ｎを統合するものが管理装置１４であり、制御装置との間はインターネットなどネットワーク１５で通信接続される。管理装置１４における定義構築は予め行われているもので、本願発明にかかる個人ＩＤごとの操作許可情報などは管理装置１４のサーバー機能として保存されている。操作許可情報は区画ごとにテーブルの形でダウンロードされて（初期的にまたは認証時にどちらでも）制御装置１０−ｎに置かれるものといえる。
【００１８】
さて、テナントユーザが持ち運ぶのが携帯情報機器１６である。これは市販のタブレット型ＰＣなどであり、バッテリ駆動されたＣＰＵ，記憶装置、画面（ＬＣＤ、有機ＥＬなど）、およびＮＦＣ通信部、ＷｉFｉ通信部などを持つ。本願発明にかかる制御操作実行部はソフトウエアで実装される（アプリケーションプログラム）。
【００１９】
この短距離無線通信は、図１中ではＮＦＣの符号をつけて記す携帯情報機器１６と管理端末１２−１の間でやり取りされる。
一方の短距離通信は、図１中ではＷｉFｉの符号をつけて記す携帯情報機器１６と制御装置１０−１に付随するアンテナのアクセスポイントＡＰの間でやり取りされる。
【００２０】
［２．操作許可情報について］
制御装置１０−１がもつ個人ＩＤに従った前記操作許可情報テーブルの例を図２に示す。
テナントユーザの個人ＩＤ（Ａ，Ｂ，Ｃ，）ごとに、負荷設備にかかる運転操作について可否の情報が設定されている。
例えば、個人Ａの場合は、空調運転（停止）可、温度設定（変更）可、及び照明ＯｎＯｆｆ可と設定されている。一方、個人Ｂの場合は、空調運転（停止）可、温度設定（変更）不可、及び照明ＯｎＯｆｆ可と設定されている。いわゆる操作権限が定義されている。
【００２１】
この操作許可情報テーブルは、携帯情報機器１６に所定のタイミングでダウンロードされる。すなわち、携帯情報機器１６は管理端末を通じて認証されたならば、認証情報としてセキュリティ情報など認証情報がフィードバックされてくるので、その近距離無線通信により得られる前記認証情報に操作許可情報テーブルが含まれる。
【００２２】
または、操作許可情報テーブルは携帯情報機器１６に、前記管理端末から前記近距離無線通信により得た前記認証情報に則り、前記制御装置と短距離無線通信で通信して得られる操作許可情報テーブルであってもよい。
詳細なトランザクションについては、後述する。
【００２３】
［３．携帯情報機器の制御操作画面について］
携帯情報機器１６の制御操作にかかる画面の外観を図３で示す。これは例えば温度設定器をイメージした画面形態をとる。
（なお、照明関係については簡略化のため説明を省いてある）
図３Ａは個人ＩＤがＡの場合の画面を示す。図３Ｂは個人ＩＤ  がＢの場合である。
【００２４】
制御操作実行部３０はＬＣＤなどの制御情報の表示部５０に表されたウインドウ表示を行い、前面にはタッチパネルが付いている。表示部５０には、空調運転にかかる情報（設定温度、運転ステータス、風量レベル）など基本事項が表示される。また、現在の温度、湿度などの付加情報を表示するために、情報表示領域６０が設けられている。
【００２５】
設定操作のために設けられるのが、空調運転の運転／停止を指令するボタン５１であり、また温度設定値の変更（増加、減少）ボタン５２，５３である。これらボタンはソフトウエアで実行されるタッチ機能部である。
図３Ａ、Ｂでは、上述の操作許可情報テーブル（図２）に従って、個人がＡの場合は、空調運転（停止）可、温度設定（変更）可、であって、一方、Ｂの場合は、空調運転（停止）可、温度設定（変更）不可と設定されていることに従って制御操作実行部３０が、個々の許可情報の可／不可に従い、各ボタン５１−５３は表示／非表示にされる。
これにより、ユーザは許可された操作を画面で視認しながら操作をすることができるのである。
【００２６】
以下は、本願発明の各機能がどのように連携して実行されるか例をもって説明する。
［実施例１．近距離無線通信のみ方式］
図４を参照する。
まず、携帯情報機器１６は管理端末１２に接近し、個人ＩＤを読み取らせる（図中  ステップＳ０１）。次いで、管理端末１２は制御装置１０に個人ＩＤを送信する（Ｓ０２）。
制御装置１０はその個人ＩＤについて認証判定をする（Ｓ０３）。その認証結果を、管理端末１２へ認証情報を送信（Ｓ０４）し、その情報を管理端末１２は携帯情報機器１６へフィードバックする（Ｓ０５）。
【００２７】
認証がＯＫであったなら、そのフィードバックされた認証情報には当該個人ＩＤの操作許可情報が付与されている。
このとき、制御装置１０は認証された個人のために電気錠１３の解錠指令を出し（Ｓ０６），電気錠１３は解錠する（Ｓ０７）。
【００２８】
次に、携帯情報機器１６で制御操作実行部３０が呼び出し実行する（Ｓ１０）。当該実行部は、図３に示した表示部５０において、許可を与えられた範囲で空調など負荷設備に関するオペレーション（指令）を発する（Ｓ１１）。管理端末１２はこれを制御装置１０へ送信する（Ｓ１２）。
【００２９】
制御装置１０は所定の運転処理を行い（Ｓ２０）、負荷設備１００の構成要素（バルブ、ポンプなど）に向けて操作を実施する（Ｓ２１）。
以上が、実施例１での遷移フローである。
【００３０】
［実施例２．近距離無線通信＋短距離無線通信  併用方式］
図５を参照する。
まず、携帯情報機器１６は管理端末１２に接近し、個人ＩＤを読み取らせる（図中  ステップＳ０１）。次いで、管理端末１２は制御装置１０に個人ＩＤを送信する（Ｓ０２）。
制御装置１０はその個人ＩＤについて認証判定をする（Ｓ０３）。その認証結果として管理端末１２へ認証証明を送信（Ｓ０４）し、その証明を管理端末１２は携帯情報機器１６へフィードバックする（Ｓ０５）。
また、制御装置１０は認証された個人のために電気錠１３の解錠指令を出し（Ｓ０６），電気錠１３は解錠する（Ｓ０７）ことは実施例１.に同様である。
【００３１】
ステップＳ０５で得た認証証明には、短距離無線通信にかかるセキュリティ情報が含まれるので、以降の制御装置１０アクセスポイントとの短距離無線通信はこの情報に則って行われる。ただし、まだ認証情報には当該個人ＩＤの操作許可情報はまだ付与されていないので、携帯情報機器１６は、制御装置１０へ通信して（Ｓ０８），操作許可情報テーブルを取得する（Ｓ０９）必要がある。二重のやり取りにより確実なセキュリティ確保のためである。
【００３２】
次に、携帯情報機器１６で制御操作実行部３０を呼び出し実行する（Ｓ１０）。当該実行部は、図３に示した表示部５０において、許可を与えられた範囲で空調など負荷設備に関するオペレーション（指令）を発する（Ｓ１１）。管理端末１２はこれを制御装置１０へ送信する（Ｓ１２）。
【００３３】
制御装置１０は所定の運転処理を行い（Ｓ２０）、負荷設備１００の構成要素（バルブ、ポンプなど）に向けて操作を実施する（Ｓ２１）。
また、負荷設備１００からの現在値データなどを制御装置１０は収集している（Ｓ２２）ので、これを制御装置１０は携帯情報機器１６に配信する（Ｓ２３）。こうすることで、図３に示した表示部５０の情報表示領域６０に現在の温度、湿度などの詳細情報を表示することができる。高速データ通信により、温度トレンドグラフ、アラーム一覧なども可能である。
以上が、実施例２での遷移フローである。  
【００３４】
本説明では、携帯情報機器１６からの制御操作の終了方法については省いたが、それは管理端末１２から離れたり、時限監視したりなどの周知手段によって実現は容易で、そのような種種の設計事項を付加、改変しても、本願発明の範囲に入るものである。
【００３５】
そのほかの応用例としては、次のものなども考えられる。
（１）テナント内で管理端末１２に携帯情報機器１６を照合させるとき、管理端末１２に個人のＩＤカードによる照合も行ってダブルチェックを行い、個人と携帯情報機器１６の紐付けを行なってセキュリティ性を高める。
（２）管理端末１２に携帯情報機器１６を照合させた後、テナント内作業エリアに移動し、携帯情報機器１６に個人ＩＤカードを照合させて、短距離無線通信で個人の特定を行って、初めて携帯情報機器１６での機能提供を開始する。また携帯情報機器１６には更に別の個人ＩＤカードを照合することで、提供する機能を切り替えてもよい。
【産業上の利用可能性】
【００３６】
オフィスビルにおけるテナント入居者といった、ある限定したエリア居住者に向けて機能を提供する。ＮＦＣなどの近距離無線通信によるユーザ認証することと、一つの携帯情報機器に各種ソフトウエアを実装することで、従来中央監視画面で管理者しかできなかった機能をユーザ権限にしたがって提供できる可能性は大きい。
【符号の説明】
【００３７】
１０，１０―ｎ  制御装置
１１、１１−ｎ  ドア
１２、１２−ｎ  管理端末
１３，１３−ｎ  電気錠
１４  管理装置
１５  ネットワーク
１６  携帯情報機器
３０  制御操作実行部
５０  表示部
５１  運転／停止ボタン
５２，５３  温度設定値の変更（増加、減少）ボタン
６０  情報表示領域
１００  負荷設備
【図１】
2015125693.tif 000003
【図２】
2015125693.tif 000004
【図３】
2015125693.tif 000005
【図４】
2015125693.tif 000006
【図５】
2015125693.tif 000007